(57)【要約】【課題】複数のアンテナでの受信環境を改善することができる放送受信装置を提供する。【解決手段】デジタル放送受信テレビ１７０は、地デジ復調部１３７が受信劣化を検出すると、その受信劣化が改善するまで、ＡＣ成分をＲＦ信号に重畳した制御情報をブースタ１５０に送り、ブースタ１５０内の増幅器１１１、１５８の増幅率を調整する。このとき、ＲＦケーブル内に異なる周波数のＡＣ成分（ＡＣ１成分、ＡＣ２成分）として増幅率の制御信号を重畳することで、複数の増幅器１１１、１５８に対して増幅率を個別に制御することが可能となる。【選択図】図４
2009302832.tif 000002
【特許請求の範囲】
【請求項１】
アンテナで受信した放送方式の異なる複数の放送波の信号を信号増幅装置で増幅して受信する放送受信装置において、
前記受信した放送波の信号の振幅レベルを検出する検出手段と、
前記検出された振幅レベルを基に、前記信号増幅装置の増幅率を前記放送方式ごとに制御するための制御信号を生成する生成手段と、
前記生成した制御信号を前記放送波の信号に重畳して前記信号増幅装置に送信する送信手段とを備えたことを特徴とする放送受信装置。
【請求項２】
前記信号増幅装置と前記放送受信装置との間に接続され、前記放送波の信号が伝送される１本の伝送ケーブルと、
前記伝送ケーブルを通じて受信した前記放送波の信号を前記放送方式ごとに分離する分離手段とを備えるとともに、
前記検出手段、前記生成手段および前記送信手段を前記放送方式ごとに備えたことを特徴とする請求項１記載の放送受信装置。
【請求項３】
前記受信した放送波の信号から中間周波数信号を抽出する抽出手段と、
前記抽出した中間周波数信号の復調を行う復調手段とを備えたことを特徴とする請求項１記載の放送受信装置。
【請求項４】
前記信号増幅装置は、複数のアンテナで受信した放送方式の異なる複数の放送波の信号をそれぞれ増幅する複数の増幅手段と、前記放送受信装置から受信した前記制御信号を前記放送方式ごとにそれぞれ前記放送波の信号から抽出する複数の抽出手段と、前記抽出された制御信号を用いて前記複数の増幅手段の増幅率をそれぞれ設定する複数の増幅率設定手段とを備えたことを特徴とする請求項１記載の放送受信装置。
【請求項５】
前記制御信号は前記放送方式ごとに周波数の異なる交流信号であることを特徴とする請求項１乃至４のいずれかに記載の放送受信装置。
【請求項６】
前記検出された振幅レベルを基に、前記信号増幅装置の通過帯域を前記放送方式ごとに制御するための第２の制御信号を生成する第２の生成手段と、
前記生成した第２の制御信号を前記放送波の信号に重畳して前記信号増幅装置に送信する第２の送信手段とを備えたことを特徴とする請求項１記載の放送受信装置。
【請求項７】
前記信号増幅装置の増幅率が最大値に設定された場合、前記第２の生成手段は前記第２の制御信号を生成することを特徴とする請求項６記載の放送受信装置。
【請求項８】
前記信号増幅装置は、複数のアンテナで受信した放送方式の異なる複数の放送波の信号をそれぞれ増幅する複数の増幅手段と、前記複数の増幅手段にそれぞれ入力される放送波の信号の通過帯域を制限する複数のフィルタ手段と、前記放送受信装置から受信した前記第２の制御信号を前記放送方式ごとにそれぞれ前記放送波の信号から抽出する複数の抽出手段と、前記抽出された第２の制御信号を用いて前記複数のフィルタ手段の通過帯域をそれぞれ設定する複数の帯域設定手段とを備えたことを特徴とする請求項６記載の放送受信装置。
【請求項９】
アンテナで受信した放送方式の異なる複数の放送波の信号を信号増幅装置で増幅して受信する放送受信装置の制御方法において、
前記放送受信装置が、前記受信した放送波の信号の振幅レベルを検出する検出ステップと、
前記放送受信装置が、前記検出された振幅レベルを基に、前記信号増幅装置の増幅率を前記放送方式ごとに制御するための制御信号を生成する生成ステップと、
前記放送受信装置が、前記生成した制御信号を前記放送波の信号に重畳して前記信号増幅装置に送信する送信ステップとを有することを特徴とする放送受信装置の制御方法。
【発明の詳細な説明】
【技術分野】
【０００１】
本発明は、アンテナで受信した放送方式の異なる複数の放送波の信号を信号増幅装置で増幅して受信する放送受信装置及びその制御方法に関する。
【背景技術】
【０００２】
近年、放送受信装置として、次のような機器が商品化されている。この機器は、衛星用アンテナで受信した信号と地上波デジタル用アンテナで受信した信号を１台のブースタで受け、それぞれのＲＦ信号をブースタ内の増幅器で固定の増幅率だけ増幅した後、１本のＲＦケーブルに重畳してテレビチューナに出力する。
【０００３】
従来から、ブースタはできるだけアンテナの近くに設置される方が受信性能的に有利であることが知られている。このため、ブースタとテレビチューナは離れた位置に存在する。
【０００４】
しかし、ブースタとテレビチューナが離れた位置に存在することにより、以下のような問題が発生している。つまり、アンテナでの受信環境が変わる度に、離れた位置に設置したブースタの増幅率を設定し直す必要があった。
【０００５】
現在、国内における地上波テレビ受信環境は、地上波アナログと地上波デジタル放送が混在した環境にある。地上波アナログ放送は収束する方向にある一方、地上波デジタル放送は、アナログ波との干渉を避けるように送信レベルを段階的に変えながら、放送地域を広げるように運営されている。
【０００６】
このように、受信環境に大きな変化が見られ、今後も受信環境の変化は続くと考えられるため、上記問題は今後も続くと考えられる。この問題に対し、次のような手法が提案されている（特許文献１参照）。この手法では、受信状況が低下した場合、テレビチューナから離れた位置に設置したブースタに対して利得を制御するパルス信号をＲＦ信号に重畳し、このパルス信号のＤｕｔｙ比を用いて簡便にブースタ内の増幅器の増幅率を制御することで、受信環境を改善する。
【特許文献１】特開２００６−２２９８８６号公報
【発明の開示】
【発明が解決しようとする課題】
【０００７】
しかしながら、上記従来の放送受信装置では、以下に掲げる問題があった。例えば、放送方式が地上デジタル放送の一種類で受信している環境の場合、ブースタ内の増幅器に対し、環境の変化に応じた適切な増幅率の制御を行えば良かった。つまり、受信信号が強く変化した場合、適切な信号レベルになるようにブースタ内の増幅器の増幅率を減衰させ、また、受信信号が弱く変化した場合、適切な信号レベルになるように増幅率を増加させる制御を行えば良かった。
【０００８】
しかし、放送方式が地上デジタル放送の他に別の異なるアンテナで受信する環境では、例えば、衛星放送も同時に受信する環境では、本来、正常に受信できるレベルにあったとしても、衛星放送に対して同じ増幅率だけ増幅してしまうという問題があった。
【０００９】
また、複数のアンテナに対し、パルス信号のＤｕｔｙ比を高速に切り替える制御を行うように構成した場合、システムの複雑さを招くとともに、パルス信号が発生するデジタルノイズによる受信劣化を招く可能性がある。場合によっては、衛星放送を受信できなくなるおそれが生じる。
【００１０】
そこで、本発明は、複数のアンテナでの受信環境を改善することができる放送受信装置及びその制御方法を提供することを目的とする。
【課題を解決するための手段】
【００１１】
上記目的を達成するために、本発明の放送受信装置は、アンテナで受信した放送方式の異なる複数の放送波の信号を信号増幅装置で増幅して受信する放送受信装置において、前記受信した放送波の信号の振幅レベルを検出する検出手段と、前記検出された振幅レベルを基に、前記信号増幅装置の増幅率を前記放送方式ごとに制御するための制御信号を生成する生成手段と、前記生成した制御信号を前記放送波の信号に重畳して前記信号増幅装置に送信する送信手段とを備えたことを特徴とする。
【００１２】
本発明の放送受信装置の制御方法は、アンテナで受信した放送方式の異なる複数の放送波の信号を信号増幅装置で増幅して受信する放送受信装置の制御方法において、前記放送受信装置が、前記受信した放送波の信号の振幅レベルを検出する検出ステップと、前記放送受信装置が、前記検出された振幅レベルを基に、前記信号増幅装置の増幅率を前記放送方式ごとに制御するための制御信号を生成する生成ステップと、前記放送受信装置が、前記生成した制御信号を前記放送波の信号に重畳して前記信号増幅装置に送信する送信ステップとを有することを特徴とする。
【発明の効果】
【００１３】
本発明によれば、受信環境の低下に対し、動的に受信性能を改善することができ、かつ異なる放送方式に対応したアンテナ受信レベルに対し、独立した増幅率の制御を簡単に実現することができる。従って、複数のアンテナでの受信環境を改善することができるシステムをユーザに提供することが可能となる。
【発明を実施するための最良の形態】
【００１４】
本発明の放送受信装置及びその制御方法の実施の形態について図面を参照しながら説明する。本実施形態の放送受信装置は、アンテナで受信した放送波の信号をブースタ（信号増幅装置）で増幅して受信するデジタル放送受信テレビ（地上デジタルチューナ）に適用される。
【００１５】
［第１の実施形態］
まず、図１を用いて、アンテナが１つである場合の受信レベル低下改善動作を説明する。さらに、図４を用いて、アンテナが２つになった場合の受信レベル低下改善動作を説明する。
【００１６】
図１は第１の実施形態におけるデジタル放送受信システムの概略的構成を示すブロック図である。デジタル放送受信システムは、デジタル放送受信テレビ１３０と、このチューナ受信モジュールにＲＦケーブル１２０を介して接続されるブースタ１１０と、これにＲＦケーブル１０１を介して接続された地上デジタルアンテナ１００とから構成される。
【００１７】
地上デジタルアンテナ（地デジアンテナ）１００は地上デジタル放送波を受信する。受信した地上デジタル放送波は１本のＲＦケーブル１０１（伝送ケーブル）を経由してブースタ１１０（前記信号増幅装置）に入力される。
【００１８】
ブースタ１１０は、増幅器１１１、ＡＣ抽出部１１２、ＤＣ抽出部１１３、ゲイン量発生部１１４および電源部１１５から構成され、前述した別のＲＦケーブル１２０を経由してデジタル放送受信テレビ１３０に接続される。ブースタ１１０は、入力したＲＦ信号をデジタル放送受信テレビ１３０からの制御に従って増幅し、デジタル放送受信テレビ１３０に出力する。
【００１９】
デジタル放送受信テレビ（地上デジタルチューナ）１３０は、アナログフロントエンド部１３１、地デジ復調部１３７およびバックエンド部１３８からなる。アナログフロントエンド部１３１は、ＤＣ合成部１３２、ＡＣ合成部１３３、ＩＦ信号抽出部１３４、ＡＣ発生部１３５およびＤＣ発生部１３６から構成される。
【００２０】
ＤＣ合成部１３２は、例えば分布定数回路や抵抗から構成される高周波回路である。ＤＣ合成部１３２は、前置ブースタ１１０内の増幅器（増幅部）１１１などのアクティブデバイスへ供給するＤＣ信号を重畳する機能を持ち、また、前置ブースタ１１０から受け取ったＲＦ信号を後段のＡＣ合成部１３３に送信する機能を持つ。
【００２１】
ＡＣ合成部１３３は、ＤＣ合成部１３２と同様、例えば分布定数回路やコンデンサ、コイルなどから構成される高周波回路である。ＡＣ合成部１３３は、ＤＣ合成部１３２から送られたＲＦ信号を後段のＩＦ信号抽出部１３４に送り、また、別の入力ポートから受け取ったＡＣ成分をＤＣ合成部１３２から送られたＲＦ信号と重畳する機能を持つ。
【００２２】
ＩＦ信号抽出部１３４は、入力された比較的高い周波数であるＲＦ信号からユーザが選局した希望波であるＩＦ（Ｉｎｔｅｒｍｅｄｉａｔｅ  Ｆｒｅｑｕｅｎｃｙ）信号（中間周波数信号）のみを抽出する機能を持つ。
【００２３】
ＡＣ発生部１３５（生成手段）は、地デジ復調部１３７によって制御され、指定された周波数／振幅のＡＣ成分を出力する機能を持つ。
【００２４】
ＤＣ発生部１３６は、前置ブースタ１１０内のアクティブデバイスに供給されるＤＣ成分を発生する。
【００２５】
地デジ復調部１３７は、ＩＦ信号抽出部１３４から出力されたＩＦ信号を受け取り、復調／復号化処理を行い、ＴＳ（Ｔｒａｎｓｐｏｒｔ  Ｓｔｒｅａｍ）データへの変換を行う。このとき、ＩＦ信号の中には、伝送路受信性能解析のためにパイロット信号が挿入されている。このパイロット信号の中にあるＭＥＲ（モジュレーション・エラー・レシオ）情報を用いる、または中間周波数の振幅レベルを確認することで、伝送路の受信環境の低下度合いを測定することができる。この情報を用いることで、送信局が送った放送波が受信アンテナでどの程度低下したかを検出をすることが可能となる。この低下量をブースタ１１０において増幅させ、送信局から受信アンテナまでの伝播損失と相殺することにより、良好な受信環境を実現することが可能となる。
【００２６】
バックエンド部１３８は、地デジ復調部１３７からＴＳデータを受け取り、表示装置（図示せず）に表示する。
【００２７】
一方、ブースタ１１０は、前述したように、増幅器１１１、ＡＣ抽出部１１２、ＤＣ抽出部１１３、ゲイン量発生部１１４および電源部１１５から構成される。
【００２８】
増幅器１１１は、地上デジタルアンテナ１００からＲＦ信号を受け取り、地上デジタルチューナ１３０により決められた増幅率分だけ増幅し、ＡＣ抽出部１１２に増幅後のＲＦ信号を送る。増幅率は入力されたＤＣ成分によって制御される。
【００２９】
ＡＣ抽出部１１２は、分布定数回路、コンデンサ、コイル等から構成され、地上デジタルチューナ（後置テレビチューナ部）１３０から送られてきた増幅制御用ＡＣ成分を抽出し、また増幅器１１１から受けたＲＦ信号を後段に送る機能を持つ。ＤＣ抽出部１１３はＲＦ信号からＤＣ成分を抽出し、電源部１１５に送る。
【００３０】
ゲイン量発生部１１４（増幅率設定手段）は、ＡＣ抽出部１１２からＡＣ成分を受け取ってＤＣ成分に変更し、増幅率設定のために、変更したＤＣ成分を増幅器１１１に入力する。ＡＣ成分が大きければ大きいほど、増幅器１１１に大きな増幅率を設定することが可能となる。
【００３１】
電源部１１５は主に増幅器１１１に供給するための電源を生成する。
【００３２】
上記構成を有するデジタル放送受信システムにおいて、デジタル放送受信テレビ１３０がブースタ１１０を経由してＲＦ信号を受信する動作について詳細に説明する。まず、地上デジタルアンテナでの受信レベルが良好な場合について説明する。受信状況が良好な場合、地上デジタルアンテナ（地デジアンテナ）１００から入力されたＲＦ信号がブースタ１１０を経由してテレビ内蔵チューナに入力される。このとき、ブースタ１１０は、ＲＦ信号に対する増幅などの動作を特に必要としないため、入力信号レベルのままＲＦ信号をスルーさせる。つまり、増幅器１１１では増幅動作が行われない。よって、ゲイン量発生部１１４、ＡＣ抽出部１１２およびＤＣ抽出部１１３は、特に機能せず、入力ＲＦ信号をスルー出力する。
【００３３】
一方、デジタル放送受信テレビ１３０はブースタ１１０から出力されたＲＦ信号を受け取り、アナログフロントエンド部１３１はこれを入力する。アナログフロントエンド部１３１には、十分なレベルのＲＦ信号が入力される。ＤＣ合成部１３２およびＡＣ合成部１３３は、入力されたＲＦ信号に対し、スルー出力動作のみ行う。
【００３４】
ＩＦ信号抽出部１３４は、入力されたＲＦ信号をユーザ希望波であるＩＦ信号に変換する。ＡＣ発生部１３５およびＤＣ発生部１３６は動作しない。ＩＦ信号は、地デジ復調部１３７に入力されると、復調／復号化処理が行われてＴＳデータとなり、後段のバックエンド部１３８に入力される。バックエンド部１３８はＴＳデータを表示装置（図示せず）の画面に表示する。
【００３５】
次に、受信環境の変化により地上デジタルアンテナ１００での受信レベルが変動した場合について説明する。図２はデジタル放送受信テレビ１３０における受信動作手順を示すフローチャートである。
【００３６】
受信レベルの変動はブースタ１１０で検出できず、この変動したＲＦ信号は、一旦、後段のデジタル放送受信テレビ１３０にそのまま入力される。つまり、デジタル放送受信テレビ１３０は低下した信号を受け取ることになる。この低下した信号は、アナログフロントエンド部１３１から出力されるＩＦ信号の低下を招く。地デジ復調部１３７は、アナログフロントエンド部１３１からこの低下したＩＦ信号を受け取る（ステップＳ１）。
【００３７】
地デジ復調部１３７は、受信データをＴＳデータに変換するとともに、入力信号レベルが低下したことを検出したか否かを判別する（ステップＳ２）。入力信号レベルの低下が検出されない場合、地デジ復調部１３７はそのままの信号レベルで受信を続ける（ステップＳ８）。この後、本処理は終了する。
【００３８】
一方、ステップＳ２で入力信号レベルの低下が検出された場合、地デジ復調部１３７は、この信号レベルを改善するために、ブースタ１１０の増幅率を上げるため、ＡＣ発生部１３５にＡＣ成分出力を命令することを試みる（ステップＳ３）。
【００３９】
ＡＣ発生部１３５は、地デジ復調部１３７からの制御に従って、ＡＣ成分をＡＣ合成部１３３に出力する（ステップＳ４）。ＡＣ合成部１３３は、ＤＣ合成部１３２から受け取ったＲＦ信号に、ＡＣ発生部１３５から受け取ったＡＣ成分を重畳させる（ステップＳ５）。このＡＣ成分は、ＤＣ合成部１３２を経由してブースタ１１０に送信される。このＤＣ合成部１３２による送信処理は送信手段に相当する。
【００４０】
図３はブースタ１１０における受信動作手順を示すフローチャートである。ブースタ１１０において、ＡＣ抽出部１１２はＤＣ合成部１３２からＡＣ成分を受信したか否かを判別する（ステップＳ１１）。受信していない場合、本処理は終了する。
【００４１】
一方、ＡＣ成分を受信した場合、ＡＣ抽出部１１２は、受け取ったＡＣ成分をＲＦ信号から分離し、ゲイン量発生部１１４に送る（ステップＳ１２）。このように、ブースタ１１０では、受け取ったＡＣ成分はＡＣ抽出部１１２でＲＦ信号から分離され、ゲイン量発生部１１４に送られる。
【００４２】
ゲイン量発生部１１４は、受け取ったＡＣ成分をＤＣ成分に変換し、増幅器１１１のゲイン量を設定する（ステップＳ１３）。増幅器１１１は、設定されたゲイン量に応じた増幅率に設定する（ステップＳ１４）。この後、本処理は終了する。
【００４３】
増幅率が設定された増幅器１１１によって入力信号が増幅され、ＡＣ抽出部１１２およびＤＣ抽出部１１３を経由してブースタ１１０から振幅が増幅されたＲＦ信号がデジタル放送受信テレビ１３０に出力される。
【００４４】
そして、デジタル放送受信テレビ１３０はこの増幅されたＲＦ信号を受け取る。地デジ復調部１３７は、この増幅されたＲＦ信号で十分なレベルの信号が得られたか否かを判別する（ステップＳ６）。十分なレベルの信号が得られた場合、地デジ復調部１３７はそのままの信号レベルで受信を続ける（ステップＳ８）。この後、本処理は終了する。
【００４５】
一方、依然として、この増幅されたＲＦ信号で十分なレベルの信号が得られない場合、さらにＡＣ成分の振幅幅を大きくし、ブースタ１１０内の増幅器１１１の増幅率を上げるように、地デジ復調部１３７はＡＣ発生部１３５に命令を指示する（ステップＳ７）。この後、処理はステップＳ４に戻る。このようにして、地デジ復調部１３７は受信環境を改善していく。
【００４６】
つぎに、２つの異なる放送を受信する場合について説明する。図４は２つの異なる放送を受信する際のデジタル放送受信システムの概略的構成を示すブロック図である。ブースタ１５０内には、増幅器が２つ存在し、２つのアンテナに対して個別に増幅率を設定可能である。また、ブースタ１５０には、前述したブースタ１１０と異なり、地デジ／衛星合成部１５３が新規に追加されている。また、デジタル放送受信テレビ１７０には、地デジ／衛星分離部１７４が新規に追加されている。また、アンテナごとに増幅器等が設けられ、放送波ごとにＡＣ成分の周波数が異なる。つまり、異なる周波数のＡＣ成分（ＡＣ１成分、ＡＣ２成分）を用いることにより、放送波ごとに増幅器の増幅率を制御することが可能となる。その他の機能については、ブースタ１５０はブースタ１１０と同様の機能を有する。
【００４７】
地デジ／衛星合成部１５３は、地デジアンテナ１００で受けたＲＦ信号とＬＮＢ（Low Noise Block Down converter）内蔵衛星アンテナ１４２で受けたＲＦ信号を合成する機能を持つ。また、地デジ／衛星分離部１７４は、その逆、つまり地デジアンテナ１００で受けたＲＦ信号とＬＮＢ内蔵衛星アンテナ１４２で受けたＲＦ信号を分離する機能を持つ。
【００４８】
衛星復調部１８３は、衛星用に変調された信号を復調／復号化し、ＴＳデータを出力する。この機能は地デジ復調部１３７と同じ機能である。つまり、衛星復調部１８３は、入力信号レベルが低下したことを検出し、必要に応じてブースタ内の増幅器の増幅率を制御する機能を持つ。
【００４９】
デジタル放送受信テレビ１７０は、基本的にアナログフロントエンド部１７２および復調部に分かれており、かつブースタ１５０における信号パスも分かれているため、地デジ信号および衛星信号を独立に受信することが可能である。
【００５０】
ＬＮＢ内蔵衛星アンテナ１４２には、ＤＣ電源をＲＦケーブルで供給する必要がある。ＤＣ合成部１５７がＤＣ電源を供給する機能を担うが、この機能は本実施形態の制御に影響を与えない。
【００５１】
２つのアンテナ部で受信状況が良好である場合、前述した増幅器が１つの場合の例（先の例）と同様、それぞれのアンテナから入力されたＲＦ信号は増幅されず、デジタル放送受信テレビ１７０にそのまま入力される。
【００５２】
デジタル放送受信テレビ１７０は、地デジ・衛星信号が合成されたＲＦ信号を受け取り、地デジ／衛星分離部１７４でＲＦ信号を分離した後、個別にＩＦ信号を抽出し、復調処理を順次行う。その後、復調処理されたＴＳデータはバックエンド部１７９に入力される。バックエンド部１７９はユーザの要求に応じた表示を表示装置（図示せず）に行わせる。
【００５３】
つぎに、良好な受信状況から地上デジタルアンテナ１００での受信レベルのみ下がり、受信環境が低下した場合の動作を説明する。その後、ＬＮＢ内蔵衛星アンテナ１４２での受信レベルも下がった場合の動作を説明する。
【００５４】
なお、前述した増幅器が１つの場合の例（先の例）と重複する部分については、簡易的な説明に留め、違いに重点をおいて説明する。
【００５５】
地上デジタルアンテナ１００で低下した信号を始めて受けたとき、その検出は、先の例と同様、地デジ復調部１３７において行われる。また、減衰を相殺するための増幅器１１１の制御も、先の例と同様である。
【００５６】
このとき、衛星放送受信状況は、依然として良好なままであるので、増幅器１５８は機能せず、入力ＲＦ信号をそのレベルを変えずにデジタル放送受信テレビ１７０に送信する。このように、個別に受信レベルを変更できるので、地デジの受信状況に衛星の受信状況が影響されない環境を実現することができる。
【００５７】
さらに、衛星受信環境が低下した場合、地上波デジタル放送の受信レベル低下の場合と同様、その受信状況の低下が衛星復調部１８３で検出される。衛星復調部１８３は、衛星用増幅器である増幅器１５８に対して異なる周波数のＡＣ成分を利用することにより、その増幅を制御する。
【００５８】
このように、デジタル放送受信テレビ１７０は、地デジ復調部１３７が受信劣化を検出すると、その受信劣化が改善するまで、ＡＣ成分をＲＦ信号に重畳した制御信号をブースタ１５０に送り、ブースタ１５０内の増幅器１１１、１５８の増幅率を調整する。このとき、ＲＦケーブル内に異なる周波数のＡＣ成分（ＡＣ１成分、ＡＣ２成分）として増幅率の制御信号を重畳することで、複数の増幅器１１１、１５８に対して増幅率を個別に制御することが可能となる。
【００５９】
第１の実施形態のデジタル放送受信システムによれば、受信環境の低下に対し、動的に受信性能を改善することができ、かつ異なる放送方式に対応した複数のアンテナ受信レベルに対して独立なゲイン制御を簡単に実現することができる。また、比較的単純な構成で実現が可能となる。また、ブースタ内の複数の増幅器の増幅率を簡単に変更することができる。また、デジタル放送受信テレビから周波数の異なる交流信号である制御信号を送るので、交流信号の周波数を変えることで、複数の増幅器の増幅率を容易に制御することができる。
【００６０】
なお、本実施形態では、衛星用ＩＦ信号抽出部１８１が中間周波数を抽出する場合を示したが、本発明はこの方式に限定されない。いわゆるダイレクトコンバージョン方式であってもよく、この場合、ベースバンド信号が出力されるが、衛星復調部１８３の動作は変わらないので、その説明を省略する。
【００６１】
［第２の実施形態］
前記第1の実施形態では、デジタル放送受信テレビからブースタ内の増幅器の制御を行った。しかし、増幅率を上げて信号レベルを改善しても希望波周波数帯以外の周波数に妨害信号がある場合、受信環境が改善されないことがある。
【００６２】
第２の実施形態では、このような受信環境を改善するべく、増幅器の前段にフィルタを実装する場合を示す。フィルタでは、増幅率制御用のＡＣ成分とは異なる周波数のＡＣ成分を用いて、通過周波数帯（通過帯域）が制御される。このようなフィルタをブースタ内に実装することにより、妨害信号を受信した時にそれを強力に除去することができ、希望波のみを選択的に受信することが可能となる。従って、より良い受信環境を実現することができる。
【００６３】
受信環境低下の原因が信号レベルの低下である場合、ブースタ内の増幅器の増幅率を上げればよいが、増幅率を上限（最大値）に設定しても、受信環境が改善されない場合、妨害波により受信環境が低下していると考えられる。この場合、フィルタ機能を有効にし、妨害波を除去することによって受信環境の改善を図ることができる。
【００６４】
図５は第２の実施形態におけるデジタル放送受信システムの概略的構成を示すブロック図である。前記第１の実施形態と同一の構成要素については同一の符号を用いる。第２の実施形態では、前記第１の実施形態と異なり、ブースタ２１０内の増幅器（増幅部）１１１の前段にフィルタ部２１１が設けられ、また、地デジ復調部２３４で２つの異なる周波数のＡＣ成分が制御される。
【００６５】
この前段のフィルタ部２１１は、通常動作時に減衰なくＲＦ信号を通過させ、フィルタ動作時には通過帯域を可変できるフィルタである。通過帯域の変更は、フィルタ制御用の入力にＤＣ電圧を与えることによって制御される。
【００６６】
また、デジタル放送受信テレビ２３０内の地デジ復調部２３４は、前記第１の実施形態（先の例）と同様、入力されたＩＦ信号をＴＳデータに変換する機能を持ち、増幅器１１１の増幅率設定用のＡＣ制御を行う機能を持つ。さらに、地デジ復調部２３４は、フィルタ部２１１の通過帯域周波数設定用のＡＣ制御を行う機能を新たに持つ。また、ＡＣ１発生部１３５およびＡＣ３発生部２３７は、先の例のＡＣ発生部１３５と同様の機能を持つ。
【００６７】
図６はデジタル放送受信テレビ２３０における受信動作手順を示すフローチャートである。通常受信状態では、前記第１の実施形態と同じ動作を行う。すなわち、地デジ復調部２３４は、アナログフロントエンド部２３１からこの低下したＩＦ信号を受け取る（ステップＳ３１）。地デジ復調部２３４は、受信データをＴＳデータに変換するとともに、入力信号レベルが低下したことを検出したか否かを判別する（ステップＳ３２）。入力信号レベルの低下が検出されない場合、地デジ復調部２３４はそのままの信号レベルで受信を続ける（ステップＳ４０）。この後、地デジ復調部２３４は本処理を終了する。
【００６８】
地上デジタルアンテナ１００が低レベルのＲＦ信号を受信し、かつ妨害信号も受信している受信環境に変化したとする。この受信レベルが低い環境では、妨害波による受信環境低下と信号劣化による区別ができない。
【００６９】
そのため、地デジ復調部２３４は、ブースタ２１０内の増幅器１１１のレベルを十分上げ、受信環境改善を試みる。すなわち、地デジ復調部２３４は、ステップＳ３２で入力信号レベルの低下が検出された場合、信号レベルを改善するために、ブースタ２１０の増幅率を上げるために、受信レベル量に対応するＡＣ１成分の振幅レンジを求める。そして、地デジ復調部２３４はその制御情報（制御信号）をＡＣ１発生部１３５に送信する（ステップＳ３３）。
【００７０】
ＡＣ１発生部１３５は、地デジ復調部２３４からの制御に従って、ＡＣ１成分をＡＣ合成部１３３に出力する（ステップＳ３４）。ＡＣ合成部１３３は、ＤＣ合成部１３２から受け取ったＲＦ信号に、ＡＣ１発生部１３５から受け取ったＡＣ１成分を重畳させる（ステップＳ３５）。つまり、ＡＣ合成部１３３はＲＦ信号とＡＣ１成分を合成する。このＡＣ１成分は、ＤＣ合成部１３２を経由してブースタ２１０に送信される。
【００７１】
そして、デジタル放送受信テレビ２３０は、このＡＣ１成分に応じて増幅されたＲＦ信号をブースタ２１０から受け取る。地デジ復調部２３４は、この増幅されたＲＦ信号で十分なレベルの信号が得られたか否かを判別する（ステップＳ３６）。十分なレベルの信号が得られた場合、地デジ復調部２３４はそのまま信号レベルで受信を続ける（ステップＳ４０）。この後、本処理は終了する。
【００７２】
一方、依然として、この増幅されたＲＦ信号で十分なレベルの信号が得られない場合、地デジ復調部２３４は、ブースタ２１０内の増幅器１１１の増幅率（ゲイン調整）が最大であるか否かを判別する（ステップＳ３７）。最大でない場合、さらにＡＣ成分の振幅幅を大きくして、ブースタ２１０内の増幅器１１１の増幅率を上げるように、地デジ復調部２３４はＡＣ１発生部１３５に命令を指示する（ステップＳ３８）。この後、処理はステップＳ３４に戻る。このようにして、地デジ復調部２３４は受信環境を改善していく。受信レベルを上げても受信環境が改善されない場合、前記第１の実施形態と同様、増幅率が最大値になるまでＡＣ振幅レベルを上げていく。
【００７３】
一方、ステップＳ３７で増幅率が最大値である場合、つまり増幅率を最大にしても、受信が改善されない場合、地デジ復調部２３４は受信環境低下の原因は妨害波によるものと判断する。そして、地デジ復調部２３４はフィルタ部２１１により妨害波を除去して受信環境改善を試みる。つまり、地デジ復調部２３４は、ＡＣ３発生部２３７（第２の生成手段）に対し、ＡＣ３成分（第２の制御信号）を生成するように制御し、妨害除去を試みる（ステップＳ３９）。このＡＣ３成分は、ＤＣ合成部１３２を経由してブースタ２１０に送信される。このＤＣ合成部１３２による送信処理は第２の送信手段に相当する。この生成されたＡＣ３成分によって、後述するように、フィルタ部２１１の通過帯域は設定される。この後、本処理は終了する。
【００７４】
図７はブースタ２１０における受信動作手順を示すフローチャートである。ブースタ２１０において、ＡＣ抽出部１１２はＤＣ合成部１３２からＡＣ成分を受信したか否かを判別する（ステップＳ５１）。受信していない場合、本処理は終了する。
【００７５】
一方、ＡＣ成分を受信した場合、ＡＣ抽出部１１２は、受信したＡＣ成分がＡＣ１成分であるかＡＣ２成分であるかを判別する（ステップＳ５２）。ＡＣ１成分である場合、ＡＣ抽出部１１２は、受け取ったＡＣ１成分をＲＦ信号から分離し、ゲイン量発生部１１４に送る（ステップＳ５３）。このように、ブースタ２１０では、受け取ったＡＣ１成分はＡＣ抽出部１１２でＲＦ信号から分離され、ゲイン量発生部１１４に送られる。
【００７６】
ゲイン量発生部１１４は、受け取ったＡＣ１成分をＤＣ成分に変換し、増幅器１１１のゲイン量を設定する（ステップＳ５４）。増幅器１１１は、設定されたゲイン量に応じた増幅率に設定する（ステップＳ５５）。この後、本処理は終了する。
【００７７】
増幅率が設定された増幅器１１１によって入力信号が増幅され、ＡＣ抽出部１１２およびＤＣ抽出部１１３を経由してブースタ２１０から振幅が増幅されたＲＦ信号がデジタル放送受信テレビ２３０に出力される。
【００７８】
一方、ステップＳ５２で受信したＡＣ成分がＡＣ２成分である場合、ＡＣ抽出部１１２は、受け取ったＡＣ２成分をＲＦ信号から分離し、フィルタ調整部２１６に送る（ステップＳ５６）。フィルタ調整部２１６（帯域設定手段）は、受け取ったＡＣ２成分をＤＣ成分に変換し、フィルタ部２１１の通過帯域を設定（変更）する（ステップＳ５７）。通過帯域が設定され有効となったフィルタ部２１１によって、入力信号の通過が制限され、妨害波は除去される。この後、本処理は終了する。このように、増幅率を最大にしても、受信が改善されない場合、通過帯域を制限することで、妨害波を除去して受信環境の改善を図ることができる。
【００７９】
つぎに、２つの異なる放送を受信する場合について説明する。図８は２つの異なる放送を受信する際のデジタル放送受信システムの概略的構成を示すブロック図である。ブースタ２５０内には、増幅器が２つ存在し、２つのアンテナに対して個別に増幅率を設定可能である。また、ブースタ２５０内には、フィルタ部が２つ存在し、２つのアンテナに対して個別に通過帯域を設定可能である。
【００８０】
このように、アンテナごとに増幅器、フィルタ部等が設けられ、放送波ごとにＡＣ成分の周波数が異なる。つまり、異なる周波数を用いることにより、放送波ごとに増幅器の増幅率およびフィルタ部の通過帯域を制御することが可能となる。また、ブースタ２５０には、前述したブースタ２１０と異なり、地デジ／衛星合成部１５３が新規に追加されている。
【００８１】
一方、デジタル放送受信テレビ２７０には、地デジ／衛星分離部１７４が新規に追加されている。
【００８２】
前述したように、ブースタ２５０内の増幅器１１１の前段にはフィルタ部２１１が設けられ、また、地デジ復調部２３４で２つの周波数の異なるＡＣ成分が制御される。この前段のフィルタ部２１１は、通常動作時に減衰なくＲＦ信号を通過させ、フィルタ動作時には通過帯域を可変できるフィルタである。通過帯域の変更は、フィルタ制御用の入力にＤＣ電圧を与えることによって制御される。
【００８３】
同様に、ブースタ２５０内の増幅器１５８の前段にはフィルタ部２５１が設けられ、また、衛星復調部１８３で２つの周波数の異なるＡＣ成分が制御される。この前段のフィルタ部２５１は、通常動作時に減衰なくＲＦ信号を通過させ、フィルタ動作時には通過帯域を可変できるフィルタである。通過帯域の変更は、フィルタ制御用の入力にＤＣ電圧を与えることによって制御される。
【００８４】
地デジ／衛星合成部１５３は、地デジアンテナ１００で受けたＲＦ信号とＬＮＢ内蔵衛星アンテナ１４２で受けたＲＦ信号を合成する機能を持つ。また、地デジ／衛星分離部１７４は、その逆、つまり地デジアンテナ１００で受けたＲＦ信号とＬＮＢ内蔵衛星アンテナ１４２で受けたＲＦ信号を分離する機能を持つ。
【００８５】
また、デジタル放送受信テレビ２３０内の地デジ復調部２３４は、前記第１の実施形態と同様、入力されたＩＦ信号をＴＳデータに変換する機能を持ち、増幅器１１１の増幅率設定用のＡＣ制御を行う機能を持つ。さらに、地デジ復調部２３４は、フィルタ部２１１の通過帯域周波数設定用のＡＣ制御を行う機能を持つ。また、ＡＣ１発生部１３５およびＡＣ３発生部２３７は、先の例のＡＣ発生部１３５と同様の機能を持つ。
【００８６】
一方、衛星復調部１８３は、衛星用に変調された信号を復調／復号化し、ＴＳデータを出力する。この機能は地デジ復調部２３４と同じ機能である。つまり、衛星復調部１８３は、入力信号レベルが低下したことを検出し、必要に応じてブースタ内増幅器の増幅率を制御する機能を持つ。さらに、衛星復調部１８３は、フィルタ部２５１の通過帯域周波数設定用のＡＣ制御を行う機能を持つ。また、ＡＣ２発生部１８２およびＡＣ４発生部２７７は、先の例のＡＣ２発生部１８２と同様の機能を持つ。
【００８７】
デジタル放送受信テレビ２７０は、基本的にアナログフロントエンド部および復調部に分かれており、かつブースタ２５０における信号パスも分かれているため、地デジ信号および衛星信号を独立に受信することが可能である。
【００８８】
ＬＮＢ内蔵衛星アンテナ１４２には、ＤＣ電源をＲＦケーブルで供給する必要がある。ＤＣ合成部１５７がＤＣ電源を供給する機能を担うが、この機能は本実施形態の制御に影響を与えない。
【００８９】
２つのアンテナ部で受信状況が良好である場合、前述した増幅器が１つの場合の例（先の例）と同様、それぞれのアンテナから入力されたＲＦ信号は増幅されず、デジタル放送受信テレビ２７０にそのまま入力される。
【００９０】
デジタル放送受信テレビ２７０は、地デジ・衛星信号が合成されたＲＦ信号を受け取り、地デジ／衛星分離部１７４でＲＦ信号を分離した後、個別にＩＦ信号を抽出し、復調処理を順次行う。その後、復調処理されたＴＳデータはバックエンド部１７９に入力する。バックエンド部１７９はユーザの要求に応じた表示を表示装置（図示せず）に行わせる。
【００９１】
つぎに、良好な受信状況から地上デジタルアンテナ１００での受信レベルのみ下がり、受信環境が低下した場合の動作について説明する。その後、ＬＮＢ内蔵衛星アンテナ１４２での受信レベルも下がった場合の動作について説明する。
【００９２】
なお、前述した増幅器およびフィルタ部がそれぞれ１つの場合の例（先の例）と重複する部分については、簡易的な説明に留め、違いに重点をおいて説明する。
【００９３】
地上デジタルアンテナ１００で低下した信号を始めて受けたとき、その検出は、先の例と同様、地デジ復調部２３４において行われる。また、減衰を相殺するための増幅器１１１の制御も、先の例と同様である。
【００９４】
このとき、衛星放送受信状況は、依然として良好なままであるので、増幅器１５８は機能せず、入力ＲＦ信号をそのレベルを変えずにデジタル放送受信テレビ２７０に送信する。このように、個別に受信レベルを変更できるので、地デジ放送の受信状況に衛星放送の受信状況が影響されない環境を実現することができる。
【００９５】
さらに、衛星放送の受信環境が低下した場合、地上波デジタルの受信レベル低下の場合と同様、その受信状況の低下が衛星復調部１８３で検出される。衛星復調部１８３は、衛星用増幅器である増幅器１５８に対して異なる周波数のＡＣ成分を利用することにより、その増幅を制御する。
【００９６】
このようにして、地デジ復調部２３４は受信環境を改善していく。また、地デジ復調部２３４は、受信レベルを上げても受信環境が改善されない場合、増幅率が最大になるまでＡＣ振幅レベルをあげていく。そして、増幅率を最大にしても、受信が改善されない場合、地デジ復調部２３４は受信環境低下の原因は妨害波によるものと判断し、地デジ復調部２３４はフィルタ部２１１により妨害波を除去して受信環境改善を試みる。つまり、地デジ復調部２３４は、ＡＣ３発生部２３７に対し、ＡＣ３成分を生成するように制御し、妨害除去を試みる。この生成されたＡＣ３成分によって、フィルタ部２１１の通過帯域は設定（変更）される。
【００９７】
同様に、衛星復調部１８３は、受信レベルを上げても受信環境が改善されない場合、増幅率が最大になるまでＡＣ振幅レベルを上げていく。そして、増幅率を最大にしても、受信が改善されない場合、衛星復調部１８３は受信環境低下の原因は妨害波によるものと判断し、衛星復調部１８３はフィルタ部２５１により妨害波を除去して受信環境改善を試みる。つまり、衛星復調部１８３は、ＡＣ４発生部２７７に対し、ＡＣ４成分を生成するように制御し、妨害除去を試みる。この生成されたＡＣ４成分によって、フィルタ部２５１の通過帯域は設定される。
【００９８】
第２の実施形態のデジタル放送受信システムによれば、受信環境の低下に対し、動的に受信性能を改善することができ、かつ異なる放送方式に対応した複数のアンテナ受信レベルに対して独立なゲイン制御と独立なフィルタ制御を簡単に実現することができる。
【００９９】
具体的に、複数のアンテナから異なる放送方式を受信しているブースタとデジタル放送受信テレビの環境において、片方の受信環境が低下したとしても、受信レベルの低下が起きた方のアンテナの受信ＲＦ信号のみを増幅する。これにより、複数のアンテナでの受信環境を改善することができる。従って、受信環境を改善したシステムをユーザに提供することが可能となる。また、デジタル放送受信テレビ（テレビチューナ）からＡＣ成分で制御情報（制御信号）を送ってＡＣ成分の周波数を変えることで、複数の増幅器の増幅率を制御することができる。このように、構成が単純であることから簡単に実現することができる。また、ブースタ内の複数のフィルタ部の通過帯域を簡単に変更することができる。
【０１００】
なお、本発明は、上記実施形態の構成に限られるものではなく、特許請求の範囲で示した機能、または本実施形態の構成が持つ機能が達成できる構成であればどのようなものであっても適用可能である。
【０１０１】
例えば、上記実施形態では、異なる放送方式として、地上デジタル放送と衛星放送との２つの場合を示したが、本発明は３つ以上の異なる放送方式の放送波が存在する場合でも同様に適用可能である。また、上記実施形態では、全ての放送方式に対してフィルタ部を設けた場合と、設けない場合とを示したが、一部の放送方式に対してだけフィルタ部を設けてもよいことは勿論である。
【０１０２】
また、前記第１の実施形態と同様、第２の実施形態においても、受信方式はいわゆるダイレクトコンバージョン方式であってもよく、この場合も衛星復調部の動作は変わらない。
【図面の簡単な説明】
【０１０３】
【図１】第１の実施形態におけるデジタル放送受信システムの概略的構成を示すブロック図である。
【図２】デジタル放送受信テレビ１３０における受信動作手順を示すフローチャートである。
【図３】ブースタ１１０における受信動作手順を示すフローチャートである。
【図４】２つの異なる放送を受信する際のデジタル放送受信システムの概略的構成を示すブロック図である。
【図５】第２の実施形態におけるデジタル放送受信システムの概略的構成を示すブロック図である。
【図６】デジタル放送受信テレビ２３０における受信動作手順を示すフローチャートである。
【図７】ブースタ２１０における受信動作手順を示すフローチャートである。
【図８】２つの異なる放送を受信する際のデジタル放送受信システムの概略的構成を示すブロック図である。
【符号の説明】
【０１０４】
１００  地上デジタルアンテナ
１１０  ブースタ
１１１、１５８  増幅器
１１４  ゲイン量発生部
１３０、１７０  デジタル放送受信テレビ
１３３  ＡＣ合成部
１３５  ＡＣ発生部
１３７  地デジ復調部
１４２  ＬＮＢ内蔵衛星アンテナ
１５３  地デジ／衛星合成部
１７４  地デジ／衛星分離部
１８３  衛星復調部
２１１  フィルタ部
２１６  フィルタ調整部
【図１】
2009302832.tif 000003
【図２】
2009302832.tif 000004
【図３】
2009302832.tif 000005
【図４】
2009302832.tif 000006
【図５】
2009302832.tif 000007
【図６】
2009302832.tif 000008
【図７】
2009302832.tif 000009
【図８】
2009302832.tif 000010